(57)【特許請求の範囲】
【請求項１】
複数の移動無線通信システムがそれぞれ自己の存在を示す信号を送信する周波数帯域のチャネルを順次受信して、所定値以上の受信電界強度が得られるチャネルを検出するチャネル検出手段と、このチャネル検出手段により検出したチャネルを、前記受信電界強度の高い順に受信して、前記移動無線通信システムを識別する識別情報を取得する識別情報取得手段と、この識別情報取得手段にて取得した識別情報に基づいて、所望の移動無線通信システムを捕捉するシステム捕捉手段とを備える移動無線端末装置において、
前記識別情報取得手段が、すでに識別情報の取得を試みたチャネルに隣接するチャネルについては、受信しないことを特徴とする移動無線端末装置。
【発明の詳細な説明】
【０００１】
【発明の属する技術分野】
この発明は、例えば自動車無線電話システムや携帯無線電話システムなどの移動無線通信システムで使用される移動無線端末装置に係わり、特に、複数の事業者から接続する事業者を選択して通信を行う移動無線端末装置に関する。
【０００２】
【従来の技術】
近年、互いに同様の規格を有するシステムを用いて無線通信サービスを提供する複数の通信事業者間で業務提携が行われ、相互のユーザが互いのシステムを通じて使用することが可能となっている。
【０００３】
また、このようなシステムで用いられる携帯電話機や自動車電話装置などの移動無線端末装置のうち、複数の通信モードを備えるデュアルモード機では、ディジタル方式及びアナログ方式のうち、一方の通信方式を選択的に使用する機能を有しており、このような移動無線端末装置にあっても、複数の通信事業者のシステムを選択的に用いて使用することが可能である。
【０００４】
このように、異なる通信事業者の複数のシステム、あるいは同じ事業者の複数のシステムを選択的に用いて使用可能な移動無線端末装置では、料金体系やサービスエリアの広さなどを考慮して、予めシステム選択の優先順位が設定されている。
【０００５】
システムを選択するに当たり、移動無線端末装置は、まず、各システムの存在を示すチャネルをスキャンし、一定レベル以上の受信電界強度が得られ捕捉可能なチャネルを検出する。
【０００６】
そして、この検出したチャネルのうち、受信電界強度が強いものから順に、そのチャネルを通じてシステム識別情報ＳＩＤを取得し、前述の優先順位に従って、通信に用いるシステムを選択していた。
【０００７】
しかしながら、このようなシステム選択の方法では、検出された捕捉可能なチャネルの中には、あるチャネルの漏洩電界が隣接するチャネルに現れたものが存在したり、あるいは同じシステムが放送したものが複数存在することがある。
【０００８】
このため、これらのチャネルについても、それぞれシステム識別情報を取得する処理を実行することになり、移動無線端末装置がシステムを捕捉して通信を行える状態になるまでに多くの時間を要するという問題があった。
【０００９】
【発明が解決しようとする課題】
従来の移動無線端末装置では、通信に用いるシステムを選択するに当たり、他のチャネルの漏洩電界によって一定レベル以上の受信電界強度が得られるチャネルや、同じシステムが放送している複数のチャネルについても、システム識別情報を取得する処理を実行してしまうため、システムを捕捉して通信を行える状態になるまでに多くの時間を要するという問題があった。
この発明は上記の問題を解決すべくなされたもので、所望のシステムを迅速に捕捉することが可能な移動無線端末装置を提供することを目的とする。
【００１０】
【課題を解決するための手段】
上記の目的を達成するために、この発明は、複数の移動無線通信システムがそれぞれ自己の存在を示す信号を送信する周波数帯域のチャネルを順次受信して、所定値以上の受信電界強度が得られるチャネルを検出するチャネル検出手段と、このチャネル検出手段により検出したチャネルを、受信電界強度の高い順に受信して、移動無線通信システムを識別する識別情報を取得する識別情報取得手段と、この識別情報取得手段にて取得した識別情報に基づいて、所望の移動無線通信システムを捕捉するシステム捕捉手段とを備える移動無線端末装置において、識別情報取得手段が、すでに識別情報の取得を試みたチャネルに隣接するチャネルについては、受信しないように構成するようにした。
【００１１】
上記構成の移動無線端末装置では、複数の移動無線通信システムがそれぞれ自己の存在を示す信号を送信する周波数帯域のチャネルを順次受信して、所定値以上の受信電界強度が得られるチャネルを検出し、この検出したチャネルを、受信電界強度の高い順に受信して、移動無線通信システムを識別する識別情報を取得する際に、すでに識別情報の取得を試みたチャネルに隣接するチャネルについては、受信を行わないようにしている。
【００１２】
したがって、上記構成の移動無線端末装置によれば、あるチャネルの漏洩電界により、隣接するチャネルの受信電界強度が所定値以上となる場合でも、この隣接するチャネルについては、識別情報を取得するための受信を行わないので、所望のシステムを迅速に捕捉することができる。
【００１６】
【発明の実施の形態】
以下、図面を参照して、この発明に係わる移動無線端末装置の一実施形態について説明する。ここでは、ＴＤＭＡ（Time Division Multiple Access）方式のＰＤＣ端末装置を例に挙げて説明する。図１は、その構成を示すものである。
【００１７】
この図に示すＰＤＣ端末装置は、アンテナ１１を備えた無線部１０と、モデム部２０と、ＴＤＭＡ部３０と、スピーカ４３およびマイクロホン４４（Ｍ）を備えた通話部４０と、着信報知部５０と、メモリ部６０と、ユーザインターフェイス部７０と、バッテリ８０と、バッテリ監視部９０と、制御部１００とから構成される。
【００１８】
無線基地局から無線通話チャネルを介して送られた無線周波信号は、アンテナ１１で受信されたのち無線部１０の高周波スイッチ（ＳＷ）１２を介して受信部１３に入力される。
【００１９】
この受信部１３では、上記受信された無線周波信号が周波数シンセサイザ１４から発生された受信局部発振信号とミキシングされて受信中間周波信号に周波数変換される。
【００２０】
なお、上記周波数シンセサイザ１４から発生される局部発振周波数は、無線チャネル周波数に応じて制御部１００より指示される。また、無線部１０には受信電界強度検出部（ＲＳＳＩ）１６が設けられている。この受信電界強度検出部１６では無線基地局から到来した無線周波信号の受信電界強度が検出され、その検出値は制御部１００に通知される。
【００２１】
上記受信部１３から出力された受信中間周波信号は、モデム部２０の復調部２１に入力される。復調部２１では上記受信中間周波信号のディジタル復調が行なわれ、これによりディジタル通話信号が再生される。
【００２２】
ＴＤＭＡ部３０のＴＤＭＡデコード部３１では、制御部１００の指示に従ってタイムスロットごとに上記ディジタル通話信号が分解される。そして、この分解された複数のディジタル通話信号のうち、自機宛てのスロットのディジタル通話信号が通話部４０に入力される。
【００２３】
通話部４０は、適応差分ＰＣＭトランスコーダ（ADPCM TRANS CODER）４１と、ＰＣＭコーデック（PCM CODEC）４２とからなり、上記ディジタル通話信号はこの適応差分ＰＣＭトランスコーダ４１およびＰＣＭコーデック４２で順次復号されてアナログ通話信号に再生される。そして、このアナログ通話信号は図示しない受話増幅器で増幅されたのちスピーカ４３から拡声出力される。
【００２４】
一方、マイクロホン４４に入力された送話音声は、ＰＣＭコーデック４２および適応差分ＰＣＭトランスコーダ４１で順次符号化されてディジタル通話信号となり、ＴＤＭＡエンコード部３２に入力される。
【００２５】
ＴＤＭＡエンコード部３２では、上記適応差分トランスコーダ４１から出力されたディジタル通話信号が制御部１００から指示されたタイムスロットに挿入されて、変調部２２に入力される。変調部２２では、上記ディジタル通話信号により搬送波信号がディジタル変調される。このようにして変調された搬送波信号は、送信部１５に入力される。
【００２６】
送信部１５では、上記変調された搬送波信号が周波数シンセサイザ１４から発生された送信局部発振信号とミキシングされることにより、制御部１００より指示された無線チャネル周波数に周波数変換されたのち、所定の送信電力レベルに増幅される。そして、送信部１５にて周波数変換および信号増幅された無線周波信号は高周波スイッチ１２を介してアンテナ１１から無線基地局に向け送信される。
【００２７】
着信報知部５０は、当該端末装置宛てに着信があった場合に、制御部１００の制御によりユーザに対して着信を報知するもので、可聴音を発して報知を行なう発音体５１と、発光により報知を行なう発光体５２と、例えば偏心モータなどにより振動を発生して報知を行なう振動体５３とからなる。
【００２８】
メモリ部６０は、例えばＲＯＭやＲＡＭのほか、Ｅ2ＰＲＯＭなどの半導体メモリを記憶媒体としたもので、これらの記憶媒体には制御部１００の制御プログラムの他に、複数のシステムを通じて通信を行うために、各システムの種々の制御データ、ユーザによる各種設定データ、短縮ダイヤル等に対応させたダイヤルデータなどを記憶する。
【００２９】
また、メモリ部６０は、新たに、ＳＩＤ記憶エリア６０ａと、Ｄチャネル候補記憶エリア６０ｂと、検証済Ｄチャネル記憶エリア６０ｃと、ＳＩＤ候補記憶エリア６０ｄと、Ｐチャネル候補記憶エリア６０ｅと、検証済Ｐチャネル記憶エリア６０ｆとを備える。
【００３０】
ＳＩＤ記憶エリア６０ａは、当該移動無線端末装置にて利用可能な通信事業者のシステムの識別情報ＳＩＤ-Ａ1〜ＳＩＤ-Ａnが優先順位順（Ａ1，Ａ2，…Ａnの順）に記憶されるエリアである。
【００３１】
Ｄチャネル候補記憶エリア６０ｂは、複数のシステムのＤチャネルをスキャンした結果、所定値以上の受信電界強度が得られる捕捉可能なチャネルについて、受信電界強度が大きいチャネルから順に記憶するエリアである。
【００３２】
検証済Ｄチャネル記憶エリア６０ｃは、Ｄチャネル候補記憶エリア６０ｂに記憶されるＤチャネルのうち、後述のイニシャライズ処理にて、ワード同期をとる対象となったチャネルを記憶するエリアである。
【００３３】
ＳＩＤ候補記憶エリア６０ｄは、現在接続可能なシステムのＳＩＤを記憶するエリアである。
【００３４】
Ｐチャネル候補記憶エリア６０ｅは、複数のシステムのＰチャネルをスキャンした結果、所定値以上の受信電界強度が得られる捕捉可能なチャネルについて、受信電界強度が大きいチャネルから順に記憶するエリアである。
【００３５】
検証済Ｐチャネル記憶エリア６０ｆは、Ｐチャネル候補記憶エリア６０ｅに記憶されるＰチャネルのうち、後述のＰチャネル選択処理にて、ワード同期をとる対象となったチャネルを記憶するエリアである。
【００３６】
ユーザインターフェイス部７０は、表示部７１とキー入力部７２とからなる。表示部７１は、例えばＬＣＤ（Liquid Crystal Display）などからなりユーザに対して自機の状態（発信／着信、バッテリ残量、受信強度）やメモリ部６０から読み出したダイヤルデータを視覚的に示すためのものである。
【００３７】
キー入力部７２は、ダイヤル番号入力を行なうためのテンキーなど発着信に関わる通常の機能を実施するためのキーの他、着信報知方法（可聴音／発光／バイブレータ／報知なし）の切り換えなどの各種設定を行なうための機能設定キーを備えたものである。
【００３８】
バッテリ８０は、リチウムイオン電池やニッケル水素電池などの二次電池からなるもので、当該端末装置の駆動電源である。バッテリ監視部９０は、バッテリ８０を監視するもので、このバッテリの残量を検出して制御部１００に通知する機能の他に、バッテリ８０が充電中であるか否かを検出する充電検出手段９１を備えている。
【００３９】
制御部１００は、例えばマイクロコンピュータを主制御部とし、上述した各部を統括して制御し、図示しない基地局と通信リンクを開設して通信を行なう通信制御機能を備える。
【００４０】
次に、図２乃至図４に示すフローチャートを参照して、上記構成の移動無線端末装置における待ち受け受信状態までの処理について説明する。なお、以下に説明する処理は、制御部１００によってなされる。
【００４１】
移動無線端末装置の電源が投入されると、まず図２に示す処理が開始される。
まず、ステップ２ａでは、所定のリセット処理を実行し、ステップ２ｂに移行する。ステップ２ｂでは、イニシャライズ処理を実行する。ここで、図３を参照して、イニシャライズ処理について説明する。
【００４２】
このイニシャライズ処理では、まずステップ３ａにて、イニシャライズ用の複数のシステムの制御チャネル（Ｄチャネル）をスキャンして、これにより所定値以上の受信電界強度が得られる捕捉可能なチャネルを、あるチャネル数だけ検出する。そして、受信電界強度が大きいチャネルから順に、メモリ部６０のＤチャネル候補記憶エリア６０ｂに記録され、ステップ３ｂに移行する。
【００４３】
ステップ３ｂでは、ステップ３ａより移行してきた場合には、ステップ３ａにて検出した最も受信電界強度レベルが大きいＤチャネルに対して、一方、後述するステップ３ｆより移行してきた場合には、ステップ３ｄあるいはステップ３ｈにて指定されたＤチャネルに対して、それぞれビット同期とフレーム同期、つまりワード同期を確立するための制御を行う。
【００４４】
なお、このステップ３ｂにて、ワード同期の確立対象とした、最も受信電界強度レベルが大きいＤチャネル、およびステップ３ｄあるいはステップ３ｈにて指定されたＤチャネルを検証済みのチャネルとして、メモリ部６０の検証済Ｄチャネル記憶エリア６０ｃに記録する。
【００４５】
ここで、ワード同期が所定時間内（インタイム）に確立できた場合には、ステップ３ｃに移行する。一方、上記所定時間が経過（タイムアウト）した場合には、ステップ３ｄに移行する。
【００４６】
ステップ３ｃでは、ワード同期確立したＤチャネルを通じて、基地局から送られた制御情報の中からシステム識別情報ＳＩＤ-Ｍを検出する。ここで、ＳＩＤ-Ｍが所定時間内（インタイム）に検出できた場合には、ステップ３ｇに移行する。一方、上記所定時間が経過（タイムアウト）した場合には、ステップ３ｄに移行する。
【００４７】
ステップ３ｄでは、ステップ３ａにて検出したＤチャネルのうち、ステップ３ｂにてワード同期確立制御の対象としたＤチャネルに次いで、受信電界強度レベルが大きいＤチャネルがあれば、このＤチャネルを指定して、ステップ３ｅに移行する。一方、ワード同期確立制御の対象とするＤチャネルがなければ、ステップ３ａに移行し、再びＤチャネルをスキャンする。
【００４８】
ステップ３ｅでは、ステップ３ｄあるいはステップ３ｈにて指定されたＤチャネルと隣接するチャネルが、検証済Ｄチャネル記憶エリア６０ｃに記録されているか否かを判定する。ここで、上記チャネルが存在する、すなわちステップ３ｄあるいはステップ３ｈにて指定されたＤチャネルが、検証済みのＤチャネルと隣接する場合には、ステップ３ｄに移行し、一方、上記チャネルが存在しない、すなわちステップ３ｄあるいはステップ３ｈにて指定されたＤチャネルが、検証済みのＤチャネルと隣接しない場合には、ステップ３ｆに移行する。
【００４９】
ステップ３ｆでは、ステップ３ｄあるいはステップ３ｈにて指定されたＤチャネルと、検証済Ｄチャネル記憶エリア６０ｃに記録されているチャネルとの周波数差が、予め設定された周波数差の整数倍になっているかを判定する。なお、ここでいう整数倍の周波数差は、同じシステムにおいて使用される複数のＤチャネル間の周波数差となるように設定される。
【００５０】
ここで、ステップ３ｄあるいはステップ３ｈにて指定されたＤチャネルと、検証済Ｄチャネル記憶エリア６０ｃに記録されているチャネルとの周波数差が、予め設定された周波数差の整数倍になっている、すなわちステップ３ｄあるいはステップ３ｈにて指定されたＤチャネルが、すでに検証され検証済Ｄチャネル記憶エリア６０ｃに記録されているチャネルと同じシステムのＤチャネルである場合には、ステップ３ｄに移行する。
【００５１】
一方、上記周波数差が、予め設定された周波数差の整数倍になっていない、すなわちステップ３ｄあるいはステップ３ｈにて指定されたＤチャネルが、すでに検証され検証済Ｄチャネル記憶エリア６０ｃに記録されているチャネルと異なるシステムのＤチャネルである場合には、ステップ３ｂに移行して、ワード同期をとる。
【００５２】
ステップ３ｇでは、ステップ３ｃで検出したＳＩＤ-Ｍが、ＳＩＤ記憶エリア６０ａに記憶されるＳＩＤに一致するか否か判定する。ここで、ＳＩＤ-Ｍが一致する場合には、ＳＩＤ-ＭをＳＩＤ候補記憶エリア６０ｄに記録し、ステップ３ｈに移行する。一方、一致しない場合には、そのままステップ３ｈに移行する。
【００５３】
ステップ３ｈでは、ステップ３ａにて検出したＤチャネルのうち、ステップ３ｂにてワード同期確立制御の対象としたＤチャネルに次いで、受信電界強度レベルが大きいＤチャネルがあれば、このＤチャネルを指定して、ステップ３ｅに移行する。一方、ワード同期確立制御の対象とするＤチャネルがなければ、ステップ３ｉに移行する。
【００５４】
ステップ３ｉでは、ステップ３ｇにてＳＩＤ候補記憶エリア６０ｄに記録されたＳＩＤ-Ｍがあるか否かを判定する。ここで、１つでも、ＳＩＤ-ＭがＳＩＤ候補記憶エリア６０ｄに記録されている場合には、ステップ３ｊに移行し、一方、１つも記録されていない場合には、ステップ３ａに移行し、再びＤチャネルをスキャンする。
【００５５】
ステップ３ｊでは、ＳＩＤ記憶エリア６０ａを参照して、ＳＩＤ候補記憶エリア６０ｄに記録されるＳＩＤ-Ｍを、優先順位順に並べ直し、ステップ２ｃに移行する。
【００５６】
ステップ２ｃでは、待ち受け動作を行うための制御チャネル（Ｐチャネル）の選択処理を実行する。この処理は、図４に示すようなフローチャートに従って行われる。
【００５７】
ステップ４ａでは、複数のＰチャネルをスキャンして、これにより所定値以上の受信電界強度が得られる捕捉可能なチャネルを、あるチャネル数だけ検出する。そして、受信電界強度が大きいチャネルから順に、メモリ部６０のＰチャネル候補記憶エリア６０ｅに記録され、ステップ４ｂに移行する。
【００５８】
ステップ４ｂでは、ステップ４ａより移行してきた場合には、ステップ４ａにて検出した最も受信電界強度レベルが大きいＰチャネルに対して、一方、後述するステップ４ｆより移行してきた場合には、ステップ４ｄにて指定されたＰチャネルに対して、ビット同期とフレーム同期、つまりワード同期を確立するための制御を行う。
【００５９】
なお、このステップ４ｂにて、ワード同期の確立対象とした、最も受信電界強度レベルが大きいＰチャネル、およびステップ４ｄにて指定されたＰチャネルを検証済みのチャネルとして、メモリ部６０の検証済Ｐチャネル記憶エリア６０ｆに記録する。
【００６０】
ここで、ワード同期が所定時間内（インタイム）に確立できた場合には、ステップ４ｃに移行する。一方、上記所定時間が経過（タイムアウト）した場合には、ステップ４ｄに移行する。
【００６１】
ステップ４ｃでは、ワード同期確立したＰチャネルを通じて、基地局から送られた制御情報の中からシステム識別情報ＳＩＤ-Ｍを検出する。ここで、ＳＩＤ-Ｍが所定時間内（インタイム）に検出できた場合には、ステップ４ｇに移行する。一方、上記所定時間が経過（タイムアウト）した場合には、ステップ４ｄに移行する。
【００６２】
ステップ４ｄでは、ステップ４ａにて検出したＰチャネルのうち、ステップ４ｂにてワード同期確立制御の対象としたＰチャネルに次いで、受信電界強度レベルが大きいＰチャネルがあれば、そのＰチャネルを指定して、ステップ４ｅに移行する。このようなＰチャネルがなければ、前述のステップ２ｂに移行する。
【００６３】
ステップ４ｅでは、ステップ４ｄにて指定されたＰチャネルと隣接するチャネルが、検証済Ｐチャネル記憶エリア６０ｆに記録されているか否かを判定する。ここで、上記チャネルが存在する、すなわちステップ４ｄにて指定されたＰチャネルが、検証済みのＰチャネルと隣接する場合には、ステップ４ｄに移行し、一方、上記チャネルが存在しない、すなわちステップ４ｄにて指定されたＰチャネルが、検証済みのＰチャネルと隣接しない場合には、ステップ４ｆに移行する。
【００６４】
ステップ４ｆでは、ステップ４ｄにて指定されたＰチャネルと、検証済Ｐチャネル記憶エリア６０ｆに記録されているチャネルとの周波数差が、予め設定された周波数差の整数倍になっているかを判定する。なお、ここでいう整数倍の周波数差は、同じシステムにおいて使用される複数のＰチャネル間の周波数差となるように設定される。
【００６５】
ここで、ステップ４ｄにて指定されたＰチャネルと、検証済Ｐチャネル記憶エリア６０ｆに記録されているチャネルとの周波数差が、予め設定された周波数差の整数倍になっている、すなわちステップ４ｄにて指定されたＰチャネルが、すでに検証され検証済Ｐチャネル記憶エリア６０ｆに記録されているチャネルと同じシステムのＰチャネルである場合には、ステップ４ｄに移行する。
【００６６】
一方、上記周波数差が、予め設定された周波数差の整数倍になっていない、すなわちステップ４ｄにて指定されたＰチャネルが、すでに検証され検証済Ｐチャネル記憶エリア６０ｆに記録されているチャネルと異なるシステムのＰチャネルである場合には、ステップ４ｂに移行して、ワード同期をとる。
【００６７】
ステップ４ｇでは、ＳＩＤ候補記憶エリア６０ｄに記録されるＳＩＤ-Ｍのうち、最も優先順位の高いＳＩＤ-Ｍを読み出し、ステップ４ｈに移行する。
ステップ４ｈでは、ステップ４ｃにて検出したＳＩＤ-Ｍが、ステップ４ｇにて読み出したＳＩＤ-Ｍと一致するか否かを検証する。ここで、両者が一致する場合には、ステップ２ｄに移行して、待ち受け受信状態となる。一方、一致しなかった場合には、ステップ４ｄに移行する。
【００６８】
以上のように、上記構成の移動無線端末装置では、待ち受け受信の対象とするＳＩＤ-Ｍを検出する際に、スキャンによって所定値以上の受信電界強度が得られるＤチャネルおよびＰチャネルのうち、漏洩電界に起因するものや、同じシステムのチャネルについては、ワード同期をとる対象としないようにしている。
【００６９】
このため、上記構成の移動無線端末装置によれば、漏洩電界に起因して所定値以上の受信電界強度が得られるチャネルや、同じシステムのチャネルについては、システム識別情報を取得する処理を実行しないため、所望のシステムを迅速に捕捉することができる。
【００７０】
尚、この発明は上記実施の形態に限定されるものではない。その他、この発明の要旨を逸脱しない範囲で種々の変形を施しても同様に実施可能であることはいうまでもない。
【００７１】
【発明の効果】
以上述べたように、この発明では、複数の移動無線通信システムがそれぞれ自己の存在を示す信号を送信する周波数帯域のチャネルを順次受信して、所定値以上の受信電界強度が得られるチャネルを検出し、この検出したチャネルを、受信電界強度の高い順に受信して、移動無線通信システムを識別する識別情報を取得する際に、すでに識別情報の取得を試みたチャネルに隣接するチャネルについては、受信を行わないようにしている。
【００７２】
したがって、この発明によれば、あるチャネルの漏洩電界により、隣接するチャネルの受信電界強度が所定値以上となる場合でも、この隣接するチャネルについては、識別情報を取得するための受信を行わないので、所望のシステムを迅速に捕捉することが可能な移動無線端末装置を提供できる。
【図面の簡単な説明】
【図１】この発明に係わる移動無線端末装置の一実施の形態の構成を示す回路ブロック図。
【図２】図１に示した移動無線端末装置における待ち受け受信状態までの処理を説明するためのフローチャート。
【図３】図２に示した処理のイニシャライズ処理を説明するためのフローチャート。
【図４】図２に示した処理のＰチャネル選択処理を説明するためのフローチャート。
【符号の説明】
１０…無線部
１１…アンテナ
２０…モデム部
３０…ＴＤＭＡ部
３１…ＴＤＭＡデコード部
３２…ＴＤＭＡエンコード部
４０…通話部
４１…適応差分ＰＣＭトランスコーダ（ADPCM TRANS CODER）
４２…ＰＣＭコーデック（PCM CODEC）
４３…スピーカ
４４…マイクロホン（Ｍ）
５０…着信報知部
５１…発音体
５２…発光体
５３…振動体
６０…メモリ部
６０ａ…ＳＩＤ記憶エリア
６０ｂ…Ｄチャネル候補記憶エリア
６０ｃ…検証済Ｄチャネル記憶エリア
６０ｄ…ＳＩＤ候補記憶エリア
６０ｅ…Ｐチャネル候補記憶エリア
６０ｆ…検証済Ｐチャネル記憶エリア
７０…ユーザインターフェイス部
７１…表示部
７２…キー入力部
８０…バッテリ
９０…バッテリ監視部
１００…制御部
【図１】
0004202543.tif 000002
【図２】
0004202543.tif 000003
【図３】
0004202543.tif 000004
【図４】
0004202543.tif 000005